(57)【要約】      （修正有）【課題】ドラム内部の音場形成を阻害せず、演奏者の動作やドラムの配置位置の選択を阻害しない、ドラム音をセンシングできるドラムを提供する。【解決手段】筒状のシェル１０と、前記シェル１０の一方の開口端に取り付けられるドラムヘッド２０ａと、前記ドラムヘッド２０ａおよび前記シェル１０の内側に設置されたダイナミックスピーカ３０ａ、３０ｂとを備える。【選択図】図１
2015072401.tif 000002
【特許請求の範囲】
【請求項１】
筒状のシェルと
前記シェルの一方の開口端に取り付けられるドラムヘッドと、
前記ドラムヘッドおよび前記シェルの内側に設置された演奏音を集音するダイナミックスピーカと、
を備えるドラム。
【請求項２】
前記ダイナミックスピーカは、第１の周波数帯域の音を集音するダイナミックスピーカと前記第１の周波数帯域より低域の第２の周波数帯域の音を集音するダイナミックスピーカである、
請求項１に記載のドラム。
【請求項３】
前記ダイナミックスピーカには、前記第１の周波数帯域より高域の第３の周波数帯域の音を集音するダイナミックスピーカがさらに含まれる、
請求項２に記載のドラム。
【請求項４】
前記ダイナミックスピーカは、前記ドラムヘッドへの打撃の直後に生じるアタック音を集音するダイナミックスピーカと前記アタック音が減衰した後の前記ドラムヘッドの振動によって生じるボディ音を集音するダイナミックスピーカである、
請求項１〜請求項３のいずれかに記載のドラム。
【発明の詳細な説明】
【技術分野】
【０００１】
本発明は、ドラムに関する。
【背景技術】
【０００２】
従来、ドラムによる演奏が行われている際の音を増幅、調整等するために、ドラムから出力された音をセンシングする技術が開発されている。例えば、特許文献１には、複数のマイクをドラムの内部に設置する技術が開示されている。また、ドラムの外部にマイクを配置して演奏音を集音する構成も頻繁に利用されている。このような構成は、ドラムの周囲にマイクスタンド等によってマイクを設置する構成の他、特許文献２のような構成も知られている。当該特許文献２には、シェルとダイヤフラムを備える集音装置をバスドラムに対向するように設置する構成が知られている。
【先行技術文献】
【特許文献】
【０００３】
【特許文献１】米国特許第７２９７８６３号公報
【特許文献２】特開２００４−３２５９０８号公報
【発明の概要】
【発明が解決しようとする課題】
【０００４】
特許文献１に開示された技術のように、ドラムの内部にマイクが設置される構成の場合、ドラムの内部の音場形成を阻害し、音質が低下してしまう。すなわち、ダイナミックマイクなど、通常のマイクは集音可能な周波数帯域を広域化するために、フロントキャビティやバックキャビティを備えるように構成され、構成が複雑であるとともに大型である。従って、ドラムの内部の音場形成を阻害してしまう。
【０００５】
一方、ドラムの外部にマイクを配置する構成や特許文献２に開示された構成においては、演奏者の演奏動作を阻害する場合や、演奏者所望の位置にドラムを配置することを阻害する場合があった。
本発明は、前記課題にかんがみてなされたもので、ドラム内部の音場形成を阻害せず、演奏者の動作やドラムの配置位置の選択を阻害しない技術を提供することを目的とする。
【課題を解決するための手段】
【０００６】
上述の目的を達成するため、筒状のシェルと、シェルの一方の開口端に取り付けられるドラムヘッドと、ドラムヘッドおよびシェルの内側に設置された演奏音を集音するダイナミックスピーカと、を備えるドラムを構成する。
【０００７】
すなわち、ダイナミックスピーカは、音を出力するためのダイヤフラムを備えるが、当該ダイヤフラムに対して音が入射した場合、ダイヤフラムは当該入射した音に応じて振動し、ダイナミックスピーカからは当該入射した音に対応した信号が出力される。従って、簡易な構成の集音装置として利用することができる。そこで、ドラムの内部にマイクではなくダイナミックスピーカが設置される構成とし、当該ダイナミックスピーカの出力が演奏音出力として取得される構成とする。この構成によれば、小型の集音装置によってドラムの内部の音を集音することができるため、ドラムの内部の音場が阻害される程度を一般的なマイクよりも抑制した状態でドラムの音を集音することができる。また、ドラムの外部に集音装置を配置する必要がないため、演奏者の演奏動作を阻害することはなく、演奏者所望の位置にドラムを配置することを阻害することもない。
【０００８】
ここで、シェルは筒状の部材であり、少なくとも一方の開口端にドラムヘッドを所定の張力で保持することができればよい。ドラムヘッドをシェルに対して取り付けるための構成としては種々の構成を採用可能であり、例えば、シェルの外周に取り付けられるラグおよび当該ラグに取り付けられるフープによってドラムヘッドの保持部材を構成し、ラグにフープを取り付け、フープにドラムヘッドを取り付ける構成等を採用可能である。なお、筒の形状は円筒であっても良いし、他の形状（例えば、開口部が多角形の筒）であってもよい。
【０００９】
ドラムヘッドはシェルの一方の開口端に取り付けられる振動膜である。従って、当該ドラムヘッドがスティック等で打撃されることにより、ドラムの演奏音が生成されれば良い。むろん、ドラムヘッドが取り付けられるシェルの開口端と逆側の開口端に対して他のヘッド（レゾナンスヘッド）を取り付ける構成であっても良いし、他のヘッドを取り付けない構成であっても良い。
【００１０】
同一周波数帯域の音を集音するマイクとダイナミックスピーカとを比較した場合、ダイナミックスピーカの方が小型であり、これにより、ダイナミックスピーカはマイクよりもドラムの内部で少ない空間を占める。具体的には、ダイナミックスピーカは、ダイヤフラムとコイルと永久磁石と筐体とを備える構成等を想定可能である。すなわち、ダイヤフラムとコイルとが接合されており、コイルが永久磁石の磁場内に配置されることにより、ダイヤフラムの振動に伴うコイルの振動によって電磁誘導が行われ、ダイヤフラムの振動に応じた信号がコイルに発生する構成であれば良い。筐体はダイヤフラムを振動可能に支持し、永久磁石を支持する構造体であれば良い。むろん、ダイナミックスピーカは、マイクと比較して小型である限りにおいて、他の構成を含んでいても良く、バックキャビティやフロントキャビティ等を備える構成であっても良い。
【００１１】
また、ダイナミックスピーカをドラムヘッドおよびシェルの内側に設置するための構成としては、種々の構成を採用可能であり、シェルの内壁やラグに対して保持部材を取り付けるとともに、当該保持部材に対してダイナミックスピーカを取り付けることで、シェルの内壁に囲まれた空間（ドラムの内部）にダイナミックスピーカを設置する構成等を採用可能である。むろん、ドラムの内部におけるダイナミックスピーカの設置位置は任意であり、種々の位置とすることができる。また、保持部材の形状や材質も任意であり、弾性のある材料で保持部材の少なくとも一部を構成することにより、保持部材を介してダイナミックスピーカに対して振動が伝達されないように構成しても良い。
【００１２】
ダイナミックスピーカによって集音された演奏音は、ダイナミックスピーカの出力として取り出されれば良く、例えば、ダイナミックスピーカが備えるコイルに接続された配線によって演奏音出力を取得する構成とすることができる。当該配線は、シェルまたは他の部位を通ってドラムの外部に延びることにより、演奏音出力がドラムの外部で利用されるように構成されることが好ましい。むろん、小型の無線トランスミッタ等を利用すれば、配線を利用することなく演奏音出力を外部で利用することが可能である。
【００１３】
ダイナミックスピーカは、ドラムの内部に１個以上設置されれば良いが、複数個設置されても良い。この場合、集音する音の周波数帯域が異なる複数のダイナミックスピーカが設置されることが好ましい。すなわち、小型のダイナミックスピーカは一般的なマイクと比較して集音する音の周波数帯域が狭く、狭い周波数帯域に感度のピークが存在し、ピークの周波数と異なる周波数において感度が低い傾向にある。
【００１４】
一方、ドラムの音として認識される音の周波数は異なる複数の周波数帯域に分布している。例えば、スティック等によるドラムヘッドへの打撃の直後に生じるアタック音は比較的高周波数の帯域、アタック音が減衰した後に継続するドラムヘッドの振動によって生じるボディ音（ドラムヘッドに作用する張力に応じて決定する特定の音高の音）は比較的低周波数の帯域の音である。また、スネアドラムのスネアサイドに取り付けられるスネアワイア（スナッピーとも呼ばれる）に起因するスネアワイア音は、一般的にはアタック音よりも高い周波数帯域の音である。
【００１５】
そして、ドラムの内部においては、ドラムヘッドへの打撃によって、ドラムの内壁（ドラムヘッド内壁やシェル内壁）で粒子速度が０、音圧が最大となるような内部定在波が励起される。このような内部定在波は、アタック音、ボディ音、スネアワイア音のようなドラムの演奏音としての音の周波数帯域と異なる周波数帯域であることも多い。
【００１６】
従って、集音する音の周波数帯域が異なる複数のダイナミックスピーカをドラムヘッドおよびシェルの内側に設置する構成であれば、アタック音、ボディ音、スネアワイア音のような演奏音を互いに分離しながら別個のダイナミックスピーカによって集音することができる。そして、この場合において、不要な内部定在波が集音されないように構成することができる。むろん、各ダイナミックスピーカの周波数帯域は異なっていれば良く、一部が重複する状態であっても良い。
【００１７】
より具体的には、第１の周波数帯域の音を集音するダイナミックスピーカと前記第１の周波数帯域より低域の第２の周波数帯域の音を集音するダイナミックスピーカによって複数のダイナミックスピーカを構成する例を想定可能である。この構成によれば、集音する音の周波数帯域が相対的に高い第１の周波数帯域であるダイナミックスピーカによってアタック音とスネアワイア音とのいずれかまたは双方を集音することができる。また、集音する音の周波数帯域が相対的に低い第２の周波数帯域であるダイナミックスピーカによってボディ音を集音することができる。さらに、高音と低音の中間の周波数帯域（これらのダイナミックスピーカで集音する周波数帯域の中間の周波数帯域）に存在する不要な内部定在波は集音しないように構成することができる。
【００１８】
さらに、ドラムヘッドへの打撃の直後に生じるアタック音を集音するダイナミックスピーカとアタック音が減衰した後のドラムヘッドの振動によって生じるボディ音を集音するダイナミックスピーカとによって複数のダイナミックスピーカを構成する例を想定可能である。すなわち、ドラムにおけるアタック音の主成分が含まれる周波数帯域とボディ音の主成分が含まれる周波数帯域を予め特定すれば、各周波数帯域の音を集音可能なダイナミックスピーカをドラムヘッドおよびシェルの内側に設置することで、アタック音とボディ音とを個別に集音し、かつ、アタック音の周波数帯域とボディ音の周波数帯域との間の周波数帯域の音である内部定在波を集音しないように構成することができる。
【図面の簡単な説明】
【００１９】
【図１】（１Ａ）は本発明の一実施形態にかかるドラムの断面図、（１Ｂ）は第１のダイナミックスピーカの断面図、（１Ｃ）は第２のダイナミックスピーカの断面図である。
【図２】（２Ａ）はダイナミックスピーカとマイクの感度の周波数特性を示す図、（２Ｂ）はバスドラムの相対音圧レベルの周波数特性を示す図、（２Ｃ）はタムタムの相対音圧レベルの周波数特性を示す図である。
【図３】スネアドラムの相対音圧レベルの周波数特性を示す図である。
【発明を実施するための形態】
【００２０】
ここでは、下記の順序に従って本発明の実施の形態について説明する。
（１）ドラムの構成：
（２）集音特性：
（３）他の実施形態：
【００２１】
（１）ドラムの構成：
図１Ａは本発明の一実施形態にかかるドラム１を示す断面図であり、シェル１０およびドラムヘッド２０ａ、２０ｂで切断した状態を示している。シェル１０は内径がほぼ一定の円筒状の部材である。シェル１０の外壁には複数の位置にラグ１０ｃが取り付けられる。本実施形態において、ラグ１０ｃは、円周方向に沿って複数の位置（例えば６カ所）に取り付けられるとともに、高さ方向（シェル１０の開口面に垂直な方向）に沿って２カ所の位置に取り付けられる。ラグ１０ｃにはシェル１０の高さ方向に平行に延びるチューニングピン１０ｂが取り付けられる。
【００２２】
チューニングピン１０ｂには、フープ１０ａが取り付けられる。フープ１０ａは円筒形の部材であり、当該フープ１０ａの内径はシェル１０の外径より大きく、フープ１０ａの外径はシェル１０の直径の延長線上に配置された２個のチューニングピン１０ｂの距離より小さい。従って、フープ１０ａを、シェル１０の外周とチューニングピン１０ｂとの間に配置することができる。さらに、チューニングピン１０ｂに対してフープ１０ａを取り付けた状態でチューニングピン１０ｂを調整することにより、フープ１０ａの高さ方向の位置を調整することができる。
【００２３】
ドラムヘッド２０ａ，２０ｂは、薄い円形の部材であり、縁をフープ１０ａに取り付けることができる。従って、ドラムヘッド２０ａ，２０ｂをフープ１０ａに取り付けた状態でチューニングピン１０ｂによってフープ１０ａの高さ方向の位置を調整することにより、ドラムヘッド２０ａ，２０ｂに作用している張力を調整しつつドラムヘッド２０ａ，２０ｂをシェル１０の開口端に取り付けることができる。なお、本実施形態においては、図１Ａにおいて上方に示すドラムヘッド２０ａがスティック等によって打撃される面（バターヘッド）であり、図１Ａにおいて下方に示すドラムヘッド２０ｂがスティック等によって打撃されない面（レゾナンスヘッド）である。
【００２４】
ドラムヘッド２０ａ，２０ｂおよびシェル１０の内側には、第１のダイナミックスピーカ３０ａと第２のダイナミックスピーカ３０ｂとが設置される。本実施形態においては、シェル１０の内壁の２カ所に板状の保持部材３１ａ，３１ｂが取り付けられ、保持部材３１ａの一方の面（ドラムヘッド２０ａ側の面）に第１のダイナミックスピーカ３０ａが取り付けられる。また、保持部材３１ｂの一方の面（ドラムヘッド２０ａ側の面）に第２のダイナミックスピーカ３０ｂが取り付けられる。本実施形態においては、演奏のためにドラムヘッド２０ａに対して打撃が加えられた場合におけるドラムヘッド２０ａの最大可動範囲と干渉せず、当該最大可動範囲に最も近い位置に第１のダイナミックスピーカ３０ａおよび第２のダイナミックスピーカ３０ｂが配置される。すなわち、第１のダイナミックスピーカ３０ａおよび第２のダイナミックスピーカ３０ｂは、ドラムヘッド２０ａの動作と干渉しない範囲において、できるだけドラムヘッド２０ａに近くなるように配置されている。
【００２５】
図１Ｂは、第１のダイナミックスピーカ３０ａの構造を示す断面図である。第１のダイナミックスピーカ３０ａは、図１Ｂに示すように、筐体３０ａ１と、ダイヤフラム３０ａ２と、永久磁石３０ａ３と、コイル３０ａ４とを備えている。筐体３０ａ１は、ダイヤフラム３０ａ２と永久磁石３０ａ３とを支持する部材である。本実施形態において筐体３０ａ１は、異なる外径の２個の円柱を接合したような外形を有しており、内部は異なる内径（Ｒb，Ｒs）の空間が形成されて中空となっており、一方の端部（図１Ｂに示す上方の端部）で開口している。
【００２６】
ダイヤフラム３０ａ２は薄膜状の振動板であり、筐体３０ａ１の中空部において大きい内径Ｒbを有する部位の内壁に張られている。永久磁石３０ａ３は、異なる外径の２個の円柱を接合したような外径であり、筐体３０ａ１の開口部と逆側の内壁に取り付けられている。コイル３０ａ４の内径は永久磁石３０ａ３の外径よりも大きく、コイル３０ａ４の外径は筐体３０ａ１の中空部における小さい内径Ｒsよりも小さい。従って、筐体３０ａ１の中空部における小さい内径Ｒsを構成する内壁と永久磁石３０ａ３の外壁との間にコイル３０ａ４を配置させることができる。そして、コイル３０ａ４は、ダイヤフラム３０ａ２の一方の面（図１Ｂに示す下側の面）から永久磁石３０ａ３側に延びるように取り付けられ、永久磁石３０ａ３に接触しない状態で保持される。
【００２７】
また、コイル３０ａ４には、図１Ａに示す配線３２ａが接続されている（図１Ｂにおいては図示せず）。従って、第１のダイナミックスピーカ３０ａの周囲において発音された音によってダイヤフラム３０ａ２が振動すると、当該ダイヤフラム３０ａ２の振動に応じた信号が配線３２ａに出力される。配線３２ａは、シェル１０の内壁および外壁を貫通するコネクタ３３ａに接続されており、当該コネクタ３３ａに対してアンプ等を接続することにより、配線３２ａに出力された信号を演奏音出力として取り出すことができる。なお、本実施形態において、第１のダイナミックスピーカ３０ａのダイヤフラム３０ａ２は、ドラムヘッド２０ａの方向に向けられている。従って、第１のダイナミックスピーカ３０ａにおいては、ドラムヘッド２０ａによって励起された音を効果的に集音することができる。
【００２８】
図１Ｃは、第２のダイナミックスピーカ３０ｂの構造を示す断面図である。第２のダイナミックスピーカ３０ｂは、図１Ｃに示すように、筐体３０ｂ１と、ダイヤフラム３０ｂ２と、永久磁石３０ｂ３と、コイル３０ｂ４とを備えている。筐体３０ｂ１は、ダイヤフラム３０ｂ２と永久磁石３０ｂ３とを支持する部材である。本実施形態において筐体３０ｂ１は、中空の円錐台のような外形を有しており、円錐台の底面Ｓb（大きい方の平面：図１Ｃでは上側の面）は開口されており、底面Ｓbに平行な円錐台の上面Ｓs（小さい方の平面：図１Ｃでは下側の面）は中央部が円形に開口している。
【００２９】
ダイヤフラム３０ｂ２は薄膜状の振動板であり、円錐台の外径を有する。円錐台の底面Ｓdb（大きい方の平面：図１Ｃでは上側の面）は開口されており、円錐台の上面Ｓds（小さい方の平面：図１Ｃでは下側の面）は円錐台の内側に向けて球面状に突出している。また、ダイヤフラム３０ｂ２は、筐体３０ｂ１の円錐台の底面Ｓb側の開口部に張られている。
【００３０】
永久磁石３０ｂ３は、細い円柱Ｃの周囲により大きな径の円筒Ｃhが配置されるとともに一方の端部で円柱Ｃと円筒Ｃhが連結しているような形状である。従って、永久磁石３０ｂ３は中央の細い円柱Ｃの周囲に穴を有する形状である。本実施形態において、永久磁石３０ｂ３は、筐体３０ｂ１を円錐台と見なした場合の円錐台の上面Ｓsに対して取り付けられている。コイル３０ｂ４は、永久磁石３０ｂ３の中央の細い円柱Ｃの周囲の穴に挿入可能な外径および内径であり、当該穴にコイル３０ｂ４を配置することができる。そして、コイル３０ｂ４は、ダイヤフラム３０ｂ２の円錐台の上面Ｓdsから永久磁石３０ｂ３側に延びるように取り付けられ、永久磁石３０ｂ３に接触しない状態で保持される。
【００３１】
また、コイル３０ｂ４には、図１Ａに示す配線３２ｂが接続されている（図１Ｃにおいては図示せず）。従って、第２のダイナミックスピーカ３０ｂの周囲において発音された音によってダイヤフラム３０ｂ２が振動すると、当該ダイヤフラム３０ｂ２の振動に応じた信号が配線３２ｂに出力される。配線３２ｂは、シェル１０の内壁および外壁を貫通するコネクタ３３ｂに接続されており、当該コネクタ３３ｂに対してアンプ等を接続することにより、配線３２ｂに出力された信号を演奏音出力として取り出すことができる。なお、本実施形態において、第２のダイナミックスピーカ３０ｂのダイヤフラム３０ｂ２は、ドラムヘッド２０ａの方向に向けられている。従って、第２のダイナミックスピーカ３０ｂにおいては、ドラムヘッド２０ａによって励起された音を効果的に集音することができる。
【００３２】
（２）集音特性：
本実施形態においては、ドラム１の内部に第１のダイナミックスピーカ３０ａと第２のダイナミックスピーカ３０ｂとが設置されていることにより、ドラム１の内部の音場が阻害される程度を一般的なマイクよりも抑制した状態でドラム１の音を集音することができる。また、ドラム１の外部に集音装置を配置する必要がないため、演奏者の演奏動作を阻害することはなく、演奏者所望の位置にドラム１を配置することを阻害することもない。
【００３３】
具体的には、本実施形態において利用される第１のダイナミックスピーカ３０ａと第２のダイナミックスピーカ３０ｂは、図１Ｂ，１Ｃに示すように、ダイヤフラムの振動をコイルと永久磁石とを利用した電磁誘導で検出する構成であり、一般的なマイクと比較して非常に簡易な構成である。すなわち、一般的なマイクにおいては、集音可能な音の周波数帯域を広くするため、ダイヤフラムの前方（音が入射してくる方向）にフロントキャビティを設ける構成や、ダイヤフラムの後方にバックキャビティを設ける構成が採用されている。
【００３４】
図２Ａは、実線によってダイナミックスピーカの感度の周波数特性Ｓを示し、破線によってバックキャビティがあるマイクの感度の周波数特性Ｍ1を示し、一点鎖線によってバックキャビティおよびフロントキャビティがあるマイクの感度の周波数特性Ｍ2を示した図である。第１のダイナミックスピーカ３０ａや第２のダイナミックスピーカ３０ｂのようなキャビティを備えないスピーカは、１自由度のバネマス系と考えることができる。従って、感度の周波数特性は、図２Ａの周波数特性Ｓのように特定の周波数にピークが存在するとともに、ピーク以下の周波数において感度が周波数の増加とともに逓増し、ピーク以上の周波数において感度が周波数の増加とともに逓減すると見なすことができる。
【００３５】
一方、バックキャビティがあるマイクは、第１のダイナミックスピーカ３０ａや第２のダイナミックスピーカ３０ｂよりも大型になるが、図２Ａの周波数特性Ｍ1に示すように、周波数特性Ｓより高感度かつ広帯域の特性となる。バックキャビティおよびフロントキャビティがあるマイクは、バックキャビティがあるマイクよりも大型になるが、図２Ａの周波数特性Ｍ2に示すように、周波数特性Ｍ1より高感度かつ広帯域の特性となる。
【００３６】
このように、ダイナミックスピーカの周波数特性は一般的なマイクよりも狭いが、ドラム１の演奏音として必要とされる音は、ドラム１の演奏中にドラム１の内部で励起される音の全周波数に渡って存在するのではなく、一部の周波数帯域に存在する。従って、本実施形態のように第１のダイナミックスピーカ３０ａと第２のダイナミックスピーカ３０ｂをドラム１の内部に設置すれば、必要な周波数の音を集音することが可能である。そして、第１のダイナミックスピーカ３０ａと第２のダイナミックスピーカ３０ｂは、一般的なマイクよりも小型であるため、ドラム１の内部の音場が阻害される程度を一般的なマイクよりも抑制した状態でドラム１の音を集音することができる。また、ドラム１の外部に集音装置を配置する必要がないため、演奏者の演奏動作を阻害することはなく、演奏者所望の位置にドラム１を配置することを阻害することもない。
【００３７】
さらに、ドラム１の内部においては、一般的な集音環境（例えば、ドラム１の外部にマイクを配置して集音する環境）と比較して、音圧が極めて高くなる。従って、ダイナミックスピーカよりも感度が高い図２Ａに示す周波数特性Ｍ1，Ｍ2のようなマイクにおいては、音波によってダイヤフラムが振動範囲の上限まで振動し、音波を忠実に集音できない状況になりやすい。しかし、ダイナミックスピーカは一般的にマイクよりも感度が低いため、ダイヤフラムが振動範囲の上限まで振動する状況は発生しにくい。従って、ダイナミックスピーカによってドラム１の内部の音を集音する構成によれば、音波を忠実に集音しやすい。
【００３８】
さらに、ドラム１の演奏音として必要とされる音は、大きく２個の周波数帯域に分けることができる。例えば、スティック等によるドラムヘッド２０ａへの打撃の直後に生じるアタック音は比較的高周波数の帯域、ドラムヘッド２０ａの振動によって生じるボディ音（ドラムヘッドに作用する張力に応じて決定する特定の音高の音、アタック音が減衰した後にも比較的長期にわたって維持される音）は比較的低周波数の帯域の音である。なお、ボディ音はドラムヘッド２０ａの張力に応じて発生する特定の音高の音であり、アタック音は当該特定の音高の音より高い周波数帯域の音であるため、両者は周波数によって明確に区別可能である。
【００３９】
図２Ｂはバスドラムの一般的な周波数特性、図２Ｃはタムタムの一般的な周波数特性を示す図である。これらの図においては、周波数に対する相対音圧レベル（ｄＢ）を示しており、図２Ｂに示すバスドラムにおいては、８０Ｈｚ付近にボディ音に対応する相対音圧レベルのピークＰ1が存在し、それ以上の周波数において片対数グラフにおいてほぼ一定の傾きで相対音圧レベルが逓減した後、７００Ｈｚを超える帯域では相対音圧レベルが逓減することなくほぼ一定に維持され、８０００Ｈｚ付近から再び周波数の増加とともに相対音圧レベルが逓減する。すなわち、図２Ｂに示すバスドラムにおいては、８０Ｈｚ付近にボディ音の周波数帯域が存在し、１０００Ｈｚ〜７０００Ｈｚ付近にアタック音の周波数帯域が存在することがわかる。
【００４０】
図２Ｃに示すタムタムにおいては、１０５Ｈｚ付近にボディ音に対応する相対音圧レベルのピークＰ2が存在し、それ以上の周波数において片対数グラフにおいてほぼ一定の傾きで相対音圧レベルが逓減した後、１０００Ｈｚを超える帯域では相対音圧レベルが逓減することなくほぼ一定に維持され、９０００Ｈｚ付近から再び周波数の増加とともに相対音圧レベルが逓減する。すなわち、図２Ｃに示すタムタムにおいては、１０５Ｈｚ付近にボディ音の周波数帯域が存在し、１１００Ｈｚ〜８０００Ｈｚ付近にアタック音の周波数帯域が存在することがわかる。
【００４１】
図２Ｂおよび図２Ｃに示した周波数特性は、特定のバスドラムや特定のタムタムにおける周波数特性であるが、一般的に、ボディ音の相対音圧レベルのピークは５０〜６００Ｈｚ程度の帯域、アタック音の相対音圧レベルのピークは６００〜１００００Ｈｚ程度の帯域に存在する。
【００４２】
そこで、本実施形態においては、第１のダイナミックスピーカ３０ａのダイヤフラム３０ａ２の口径が第２のダイナミックスピーカ３０ｂのダイヤフラム３０ｂ２の口径よりも小さくなるように構成し、第１のダイナミックスピーカ３０ａで集音する音の周波数帯域が第１の周波数帯域である場合に、第２のダイナミックスピーカ３０ｂで集音する音の周波数帯域が第１の周波数帯域より低域の第２の周波数帯域となるように構成されている。なお、具体的には、例えば、第１のダイナミックスピーカ３０ａにおける相対音圧レベルのピークが６００〜１００００Ｈｚに含まれ、第２のダイナミックスピーカ３０ｂにおける相対音圧レベルのピークが５０〜６００Ｈｚに含まれるように構成される。すなわち、第１のダイナミックスピーカ３０ａによってアタック音を集音し、第２のダイナミックスピーカ３０ｂによってボディ音を集音するように構成されている。このように、本実施形態においては、集音する音の周波数帯域が異なる複数のダイナミックスピーカをドラムヘッドおよびシェルの内側に設置しているため、アタック音とボディ音とを互いに分離しながら集音することができる。
【００４３】
さらに、ドラム１の内部においては、ドラムヘッド２０ａへの打撃によって、ドラム１の内壁で粒子速度が０、音圧が最大となるような内部定在波が励起される。このような内部定在波は、低次の内部定在波（波長が長い内部定在波）であるほど音に悪影響を与えるが、当該内部定在波は、通常の大きさのドラム１において、アタック音、ボディ音のようなドラムの演奏音としての音の周波数帯域と異なる周波数帯域（例えば、５００Ｈｚ付近）であることが多い。本実施形態においては、一般的なマイクと比較して集音する音の周波数帯域が狭い第１のダイナミックスピーカ３０ａと第２のダイナミックスピーカ３０ｂとを利用している。従って、アタック音の周波数帯域とボディ音の周波数帯域との間に存在する不要な内部定在波が集音されない。
【００４４】
（３）他の実施形態：
以上の実施形態は本発明を実施するための一例であり、ドラムの内部にダイナミックスピーカを設置する限りにおいて、他にも種々の実施形態を採用可能である。例えば、ドラムの内部に設置するダイナミックスピーカの数は２個に限定されない。すなわち、ダイナミックスピーカの周波数特性は、特定の周波数で感度のピークが存在しピーク以外の周波数では感度が逓減する特性であるが、ピーク以外の周波数において感度が０になるわけではない。
【００４５】
そこで、ドラムの内部に１個のダイナミックスピーカを設置する構成とし、ドラムの特定の音の成分を特に正確に集音するように構成しても良い。例えば、図１Ａに示す構成において、第２のダイナミックスピーカ３０ｂ、保持部材３１ｂ、配線３２ｂ、コネクタ３３ｂを省略し、アタック音が特に正確に集音されるように構成しても良い。また、図１Ａに示す構成において、第１のダイナミックスピーカ３０ａ、保持部材３１ａ、配線３２ａ、コネクタ３３ａを省略し、ボディ音が特に正確に集音されるように構成しても良い。これらの構成においては、図１Ａに示す構成と比較して、音場の形成を阻害する度合いがより抑制されるため、着目している音（ボディ音またはアタック音）についてはより原音に近い音として集音することができる。むろん、ドラム１の内部に設置されるべきダイナミックスピーカの口径は図１Ａに示すダイナミックスピーカと同一でなくても良く、第１のダイナミックスピーカ３０ａの口径と第２のダイナミックスピーカ３０ｂの口径の間の口径であっても良く、種々の構成を採用可能である。
【００４６】
さらに、ドラムの内部に３個以上のダイナミックスピーカを設置する構成であっても良い。図３は、図１Ａに示すドラム１と同様の構造のドラムにおいてスネアサイド側（ドラムヘッド２０ｂ側）にスネアワイアを取り付けるスネアドラムの一般的な周波数特性を示している。図３においては、周波数に対する相対音圧レベル（ｄＢ）を示しており、１０５Ｈｚ付近にボディ音に対応する相対音圧レベルのピークＰ3が存在し、それ以上の周波数において片対数グラフにおいてほぼ一定の傾きで相対音圧レベルが逓減した後、９０００Ｈｚ付近から周波数の増加とともに相対音圧レベルがさらに大きい傾きで逓減する。ただし、図２Ｃに示すタムタムの周波数特性と比較すると、高周波数帯域においてタムタムでは１個（または０個）のピークが現れるのに対し、スネアドラムでは２個のピークＰ4，Ｐ5（２０００Ｈｚ付近および８０００Ｈｚ付近）が現れている。
【００４７】
一般に、スネアワイアに起因するスネアワイア音は、アタック音よりも高い周波数帯域の音である。従って、図３に示すスネアドラムの周波数帯域においては、１０５Ｈｚ付近にボディ音の周波数帯域が存在し、２０００Ｈｚ付近にアタック音の周波数帯域が存在し、８０００Ｈｚ付近にスネアワイア音の周波数帯域が存在することがわかる。さらに、一般的には、ボディ音の相対音圧レベルのピークは５０〜６００Ｈｚ程度の帯域、アタック音の相対音圧レベルのピークは６００〜１００００Ｈｚ程度の帯域、スネアワイア音の相対音圧レベルのピークは５０００Ｈｚ〜１００００Ｈｚ程度の帯域に存在する。
【００４８】
そこで、スネアドラムにおいて、第１のダイナミックスピーカ３０ａと第２のダイナミックスピーカ３０ｂに加えて第３のダイナミックスピーカ３０ｃを備えるように構成しても良い。この場合、第１のダイナミックスピーカ３０ａのダイヤフラム３０ａ２の口径が第２のダイナミックスピーカ３０ｂのダイヤフラム３０ｂ２の口径よりも小さく、第３のダイナミックスピーカ３０ｃのダイヤフラムの口径が第１のダイナミックスピーカ３０ａのダイヤフラム３０ａ２の口径よりも小さくなるように構成する。
【００４９】
すなわち、第３のダイナミックスピーカ３０ｃで集音する音の周波数帯域が最も高くなるように（相対音圧レベルのピークが５０００Ｈｚ〜１００００Ｈｚに含まれるように）構成する。また、第１のダイナミックスピーカ３０ａで集音する音の周波数帯域が第３のダイナミックスピーカ３０ｃの次に高くなるように（相対音圧レベルのピークが６００〜５０００Ｈｚに含まれるように）構成する。そして、第２のダイナミックスピーカ３０ｂで集音する音の周波数帯域が最も低くなるように（相対音圧レベルのピークが５０〜６００Ｈｚに含まれるように）構成する。この結果、スネアワイア音とアタック音とボディ音とを互いに分離しながら集音することができる。
【符号の説明】
【００５０】
１…ドラム、１０…シェル、１０ａ…フープ、１０ｂ…チューニングピン、１０ｃ…ラグ、２０ａ，２０ｂ…ドラムヘッド、３０ａ…第１のダイナミックスピーカ、３０ａ１…筐体、３０ａ２…ダイヤフラム、３０ａ３…永久磁石、３０ａ４…コイル、３０ｂ…第２のダイナミックスピーカ、３０ｂ１…筐体、３０ｂ２…ダイヤフラム、３０ｂ３…永久磁石、３０ｂ４…コイル、３０ｃ…ダイナミックスピーカ、３１ａ，３１ｂ…保持部材、３２ａ，３２ｂ…配線、３３ａ，３３ｂ…コネクタ
【図１】
2015072401.tif 000003
【図２】
2015072401.tif 000004
【図３】
2015072401.tif 000005